(57)【要約】【課題】  ボルトの位置を調整できると共に、ボルトが滑ることを抑制できる建築構造体の提供。【解決手段】  取付材１，３と、被取付材２，１と、取付材１，３を被取付材２，１に取付ける取付具４ａ，４ｂとを備え、取付具４ａ，４ｂは、取付材１，３と被取付材２，１とを連結する連結具５ａ，５ｂとボルト挿通具８ａ，８ｂを有し、連結具５ａ，５ｂは、長手方向に係合部９が設けてあり、ボルト挿通具８ａ，８ｂは、連結具５ａ，５ｂを取付材１，３又は被取付材２，１に固定するためのボルト６，７，１９が挿通され、連結具５ａ，５ｂの係合部９と噛み合う被係合部１０を有し、連結具５ａ，５ｂの長手方向に位置を調整可能である。【選択図】      図１
2019108706.tif 000002
【特許請求の範囲】
【請求項１】
取付材と、被取付材と、取付材を被取付材に取付ける取付具とを備え、取付具は、取付材と被取付材とを連結する連結具とボルト挿通具を有し、連結具は、長手方向に係合部が設けてあり、ボルト挿通具は、連結具を取付材又は被取付材に固定するためのボルトが挿通され、連結具の係合部と噛み合う被係合部を有し、連結具の長手方向に位置を調整可能であることを特徴とする建築構造体。
【発明の詳細な説明】
【技術分野】
【０００１】
本発明は、手摺等の建築構造体に関する。
【背景技術】
【０００２】
従来、例えば躯体に方立を取付ける場合、金属製のブラケットを使用して躯体と方立を繋いでいる。ブラケットは、躯体にアンカーボルトで固定されるが、躯体に目地や鉄骨等の障害物があって、障害物を避けるためにアンカーボルトの位置を調整したい場合がある。アンカーボルトの位置を調整できるようにするため、ブラケットのボルト挿通孔を長孔にすると、荷重によりボルトが滑るおそれがある。
【発明の概要】
【発明が解決しようとする課題】
【０００３】
本発明は以上に述べた実情に鑑み、ボルトの位置を調整できると共に、ボルトが滑ることを抑制できる建築構造体の提供を目的とする。
【課題を解決するための手段】
【０００４】
上記の課題を達成するために請求項１記載の発明による建築構造体は、取付材と、被取付材と、取付材を被取付材に取付ける取付具とを備え、取付具は、取付材と被取付材とを連結する連結具とボルト挿通具を有し、連結具は、長手方向に係合部が設けてあり、ボルト挿通具は、連結具を取付材又は被取付材に固定するためのボルトが挿通され、連結具の係合部と噛み合う被係合部を有し、連結具の長手方向に位置を調整可能であることを特徴とする。
【発明の効果】
【０００５】
請求項１記載の発明による建築構造体は、取付材と被取付材とを連結する連結具に長手方向に係合部が設けてあり、連結具を取付材又は被取付材に固定するためのボルトが挿通されたボルト挿通具を、連結具の係合部に被係合部を噛み合わせて連結具の長手方向に位置を調整可能としたので、ボルトの位置を調整できると共に、ボルトが滑ることを抑制できる。
【図面の簡単な説明】
【０００６】
【図１】（ａ）は方立を躯体に取付ける取付具の使用状態の例を示す側面図であり、（ｂ）は同取付具を下から見た図である。
【図２】（ａ）は方立を躯体に取付ける取付具の使用状態の他の例を示す側面図であり、（ｂ）は同取付具を下から見た図である。
【図３】（ａ）は方立を躯体に取付ける取付具の使用状態の他の例を示す側面図であり、（ｂ）は同取付具を下から見た図である。
【図４】（ａ）は手摺を方立に取付ける取付具の使用状態の例を示す側面図であり、（ｂ）は同取付具を上から見た図である。
【図５】（ａ）は手摺を方立に取付ける取付具の使用状態の他の例を示す側面図であり、（ｂ）は同取付具を上から見た図である。
【図６】手摺を方立に取付ける取付具の使用状態の他の例を示す平面図である。
【図７】手摺を方立に取付ける取付具の使用状態の他の例を示す平面図である。
【図８】本発明の建築構造体の一実施形態を示す屋外側正面図である。
【図９】図８のＡ−Ａ断面図である。
【発明を実施するための形態】
【０００７】
以下、本発明の実施の形態を図面に基づいて説明する。図８，９は、本発明に係る建築構造体の一実施形態であって、アパート・マンション等の集合住宅のベランダに設置される手摺に適用した例を示している。本建築構造体は、図９に示すように、躯体（被取付材）２の屋外側に持ち出して方立（取付材）１を取付具４ａで取付け、方立（被取付材）１の屋内側に手摺（取付材）３を取付具４ｂで取付けてある。手摺３は、水平に設けた笠木１１及び下弦材１２と、笠木１１と下弦材１２の間に間隔をおいて取付けた手摺子２３，２３，…を有し、笠木１１と下弦材１２がそれぞれ取付具４ｂで方立１に取付けられている。
【０００８】
図１は、方立（取付材）１を躯体（被取付材）２に取付ける取付具４ａの使用状態の例を示している。本取付具４ａは、方立１と躯体２とを連結する一と他の連結具５ａ，５ｂを備えている。各連結具５ａ，５ｂは、屋外側の端部が別々のボルト６及びナット１３で方立１に固定されたアングル１４に固定され、屋内側の端部がアンカーボルト７及びナット２４で躯体２に固定されている。各連結具５ａ，５ｂは、屋外側のボルト６及びナット１３を緩めることで、方立１と躯体２の間で同ボルト６を支点として取付角度を個々に任意に調整することができ、調整後にボルト６及びナット１３を締め付けることで、調整した任意の取付角度で固定することができる。
【０００９】
また、各連結具５ａ，５ｂは、図１（ｂ）に示すように、左右の側壁１５，１５の内側面に三角形状の山と谷が連なった係合部９が長手方向に設けてある。連結具５ａ，５ｂを方立１に固定するためのボルト６と、連結具５ａ，５ｂを躯体２に固定するためのアンカーボルト７は、それぞれボルト挿通具８ａ，８ｂに挿通して連結具５ａ，５ｂに保持されている。各ボルト挿通具８ａ，８ｂは、左右の側面に連結具５ａ，５ｂの係合部９と噛み合う被係合部１０を有しており、連結具５ａ，５ｂの長手方向に位置を調整することができる。連結具５ａ，５ｂは、各ボルト挿通具８ａ，８ｂが取付くスペース２５の間に仕切り壁１６を有している。なお連結具５ａ，５ｂは、ボルト挿通具８ａ，８ｂが取付くスペース２５が長手方向に５つに仕切られており、図示の例では両端のスペース２５にボルト挿通具８ａ，８ｂが配置されているが、それ以外の中間のスペース２５にボルト挿通具８ａ，８ｂを配置することもできる。本連結具５ａ，５ｂは、例えばアルミニウム合金の押出形材を所定の幅で切断することによって形成することができる。
【００１０】
図２は、方立１を躯体２に取付ける取付具４ａの使用状態の他の例を示している。この例では、方立１の屋内側位置に位置する躯体２に目地１７があり、各連結具５ａ，５ｂは目地１７を避けるように取付角度αを調整している。各連結具５ａ，５ｂは、方立１と躯体２の間の垂線Ｈに対して取付角度αが対称な等辺三角形の状態となっているが、垂線Ｈに対して一と他の連結具５ａ，５ｂの取付角度αを異ならせて不等辺三角形の状態とすることもできる。また、各連結具５ａ，５ｂの方立１側及び躯体２側のボルト挿通具８ａ，８ｂの位置を、それぞれ連結具５ａ，５ｂの長手方向に変化させることもできる。
【００１１】
図３は、方立１を躯体２に取付ける取付具４ａの使用状態の他の例を示している。この例では、方立１の屋内側から左右方向の一方側にエアコン室外機等の天井付けの機材１８があり、その機材１８を避けるように、一と他の連結具５ａ，５ｂは方立１と躯体２の間の垂線Ｈに対して左右方向の他方側に傾けて配置している。
【００１２】
図４は、手摺（取付材）３を方立（被取付材）１に取付ける取付具４ｂの使用状態の例を示している。本取付具４ｂは、これまでに説明した方立１を躯体２に取付ける取付具４ａと同じ構造のものであり、手摺３と方立１とを連結する一と他の連結具５ａ，５ｂを備えている。各連結具５ａ，５ｂは、屋外側の端部が別々のボルト６及びナット１３で方立１に固定されたアングル１４に固定され、屋内側の端部がボルト１９及びナット２０で手摺３の笠木１１及び下弦材１２に固定してある。笠木１１及び下弦材１２は、ボルト１９の頭部を保持するボルト保持溝２１を長手方向に有しており、長手方向に任意の位置にボルト１９を配置できる。各連結具５ａ，５ｂは、屋外側のボルト６及びナット１３を緩めることで、方立１と手摺３の間で同ボルト６を支点として取付角度を個々に任意に調整することができ、調整後にボルト６及びナット１３を締め付けることで、調整した任意の取付角度で固定することができる。
また各連結具５ａ，５ｂは、係合部９を長手方向に有しており、方立１側及び手摺３側のボルト６，１９がそれぞれボルト挿通具８ａ，８ｂに挿通され、各ボルト挿通具８ａ，８ｂは被係合部１０を連結具５ａ，５ｂの係合部９と噛み合わせた状態で、連結具５ａ，５ｂの長手方向に位置を調整可能である。
図示の例では、一及び他の連結具５ａ，５ｂが見込方向に沿って平行に配置され、このように配置することで、方立１と手摺３の距離を最も広くできる。
【００１３】
図５は、手摺３を方立１に取付ける取付具４ｂの使用状態の他の例を示している。この例では、方立１と手摺３との距離が近くなっており、それに合わせて各連結具５ａ，５ｂの取付角度αを調整してある。
【００１４】
図６は、手摺３を方立１に取付ける取付具４ｂの使用状態の他の例を示している。この例では、手摺３が平面視でクランク状に曲がった形になっており、当該曲がり部の左側と右側で方立１と手摺３の距離が異なっている。方立１と手摺３の距離が遠い箇所では、一及び他の連結具５ａ，５ｂが平行に配置され、方立１と手摺３の距離が近い箇所では、一及び他の連結具５ａ，５ｂが二等辺三角形状に配置されている。
このように、一と他の連結具５ａ，５ｂを二等辺三角形状に配置することで、方立１と手摺３間の距離を任意に調整できるため、クランク状に曲がった手摺３であっても容易に施工できる。
【００１５】
図７は、手摺３を方立１に取付ける取付具４ｂの使用状態の他の例を示している。手摺３は、長さが長い場合には長手方向に分割した上で繋げる必要があるが、この例では方立１の屋内側で手摺３が左右に分割されており、一と他の連結具５ａ，５ｂの手摺３側の端部が、分割された左右の手摺３ａ，３ｂにそれぞれ固定されている。
この取付具４ｂによれば、一と他の連結具５ａ，５ｂが、それぞれ別々に取付角度を調整して固定できるので、手摺３が取付具４ｂの位置で左右に分割されている場合でも、施工が容易である。
【００１６】
次に、本建築構造体の施工手順を説明する。まず、躯体２の屋外側に方立１を取付具４ａで取付ける。その際、先に説明したように躯体２に目地１７等の障害物がある場合、連結具５ａ，５ｂの取付角度αを調整して障害物を避けた位置にアンカーボルト７を打ち込む。次に、方立１の屋内側に手摺３の笠木１１と下弦材１２を取付具４ｂで取付ける。その際、方立１と手摺３の距離が所定の値になるように、連結具５ａ，５ｂの取付角度αを調整したり、ボルト挿通具８ａ，８ｂの位置を連結具５ａ，５ｂの長手方向に調整する。図７に示すように、方立１の屋内側で手摺３が左右に分割されている場合は、先に一の連結具５ａで方立１と一方の手摺３ａとを連結し、手摺３ａの位置決めを行って方立１側及び手摺３側のボルト６，１９とナット１３，２０を締め付けて一の連結具５ａを固定し、その後に他の連結具５ｂで方立１と他方の手摺３ｂとを連結し、手摺３ｂの位置決めを行って方立１側及び手摺３側のボルト６，１９とナット１３，２０を締め付けて他の連結具５ｂを固定し、その後、左右の手摺３ａ，３ｂの端部同士を繋ぎ材２２で繋ぐ。その後、笠木１１と下弦材１２の間に手摺子２３，２３，…を取付ける。
【００１７】
以上に述べたように本建築構造体は、取付材（方立１，手摺３）と被取付材（躯体２，方立１）とを連結する一と他の連結具５ａ，５ｂを有し、各連結具５ａ，５ｂは取付材１，３と被取付材２，１の間で一端部側の軸（ボルト６）を支点として取付角度αを個々に任意に調整できるため、目地１７や鉄骨等の障害物があっても、その障害物を避けてどこでもアンカー７を打てるので、問題なく施工できる。また、取付材１，３と被取付材２，１の距離を調整することができる。各連結具５ａ，５ｂは、別々の軸６で取付材１，３又は被取付材２，１の一方に固定してあり、取付角度αを個々に任意に調整できることで、取付材１，３が一の連結具５ａ側と他の連結具５ｂ側とに分割されているような場合でも、施工が容易である。
一と他の連結具５ａ，５ｂは、略平行な状態から等辺三角形ないし不等辺三角形の状態に調整可能であるため、アンカーボルト７の打てる範囲が広く、取付材１，３と被取付材２，１の距離の調整できる範囲も広い。
また、一と他の連結具５ａ，５ｂは、取付材１，３と被取付材２，１の間の垂線Ｈに対して一方側に配置することもでき（図３参照）、そうすることで左右方向の片側に障害物があってアンカー７が打てないような場合にも、問題なく施工できる。
【００１８】
また本建築構造体は、取付材１，３と被取付材２，１とを連結する連結具５ａ，５ｂに長手方向に係合部９が設けてあり、連結具５ａ，５ｂを取付材１，３又は被取付材２，１に固定するためのボルト６，７，１９が挿通されたボルト挿通具８ａ，８ｂを、連結具５ａ，５ｂの係合部９に被係合部１０を噛み合わせて連結具５ａ，５ｂの長手方向に位置を調整可能としたので、ボルト６，７，１９の位置を調整できると共に、ボルト６，７，１９が滑ることを抑制できる。
ボルト挿通具８ａ，８ｂは、連結具５ａ，５ｂを取付材１，３に固定するためのボルト６，１９を挿通したものと、連結具５ａ，５ｂを被取付材２，１に固定するためのボルト７，６を挿通したものがあり、その両方のボルト挿通具８ａ，８ｂの位置を連結具５ａ，５ｂの長手方向に調整できることで、汎用性、利便性が高まる。
連結具５ａ，５ｂは、各ボルト挿通部８ａ，８ｂが取付くスペースの間に仕切り壁１６を有することで、連結具５ａ，５ｂの強度アップを図ることができ、ボルト６，７，１９の滑りを確実に防ぐことができる。
【００１９】
本発明は以上に述べた実施形態に限定されない。連結具の材質や形状は、適宜変更することができる。連結具の係合部は、実施形態のような三角形状の凹凸に限らず、矩形の凹凸等であってもよい。連結具の仕切り壁の数は任意であり、例えば仕切り壁が一つだけのものであってもよい。取付材としては、方立や手摺に限らず、あらゆる建築構造材が含まれる。本発明は、取付材を被取付材に取付具で取付けて構成される建築構造体全般に広く適用することができ、例えば方立（取付材）を躯体（被取付材）に取付具で取付け、方立（被取付材）に窓ユニット等（被取付材）を直接又は取付具を介して取付けたカーテンウォール等に適用することもできる。
【符号の説明】
【００２０】
１  方立（取付材、被取付材）
２  躯体（被取付材）
３  手摺（取付材）
４ａ，４ｂ  取付具
５ａ，５ｂ  連結具
６  ボルト（軸）
７  アンカーボルト（アンカー、ボルト）
８ａ，８ｂ  ボルト挿通具
９  係合部
１０  被係合部
【図１】
2019108706.tif 000003
【図２】
2019108706.tif 000004
【図３】
2019108706.tif 000005
【図４】
2019108706.tif 000006
【図５】
2019108706.tif 000007
【図６】
2019108706.tif 000008
【図７】
2019108706.tif 000009
【図８】
2019108706.tif 000010
【図９】
2019108706.tif 000011